(57)【特許請求の範囲】
【請求項１】
帯状の台紙に複数枚のラベル片を仮着したラベル連続体の各ラベル片に印字を行って貼り付ける携帯式ラベル印字貼付け機の印字器による印字方法であって、
前記印字器として、少なくとも上下二段に設けた第１の印字器および第２の印字器のいずれか一方に項目印字用バンドを少なくとも二列に設けておくとともに、
いずれか他方の前記印字器にデータ印字用バンドを設けておき、
前記ラベル片の印字領域を上下左右の四区域に分ける区分け用枠を前記ラベル片にあらかじめ印刷し、
前記第１の印字器および前記第２の印字器により、前記印字領域の前記四区域に印字を行う、携帯式ラベル印字貼付け機の印字器による印字方法。
【請求項２】
前記ラベル片の前記上下左右に分けられた前記四区域の上段印字部および下段印字部のいずれか一方の段印字部における左区域および右区域に前記項目印字用バンドによる項目印字を行うとともに、
前記四区域の前記上段印字部および前記下段印字部のいずれか他方の段印字部における左区域および右区域に、前記項目印字に対応するデータ印字を前記データ印字用バンドにより行う、請求項１記載の携帯式ラベル印字貼付け機の印字器による印字方法。
【請求項３】
前記項目印字および前記データ印字の少なくともいずれか一方に関連する表示データを前記区分け用枠にあらかじめ印刷しておく、請求項２記載の携帯式ラベル印字貼付け機の印字器による印字方法。
【請求項４】
帯状の台紙に複数枚のラベル片を仮着したラベル連続体の各ラベル片に印字を行って貼り付ける携帯式ラベル印字貼付け機の印字器であって、
前記印字器として上下三段に設けた、第１の印字器、第２の印字器および第３の印字器の中央部に位置するこの第２の印字器に少なくとも二種類の項目印字に関する項目印字用バンドを設け、
前記第２の印字器の上下に位置する前記第１の印字器および第３の印字器により前記項目印字に対応するデータ印字を行い、
前記項目印字用バンドは、前記項目印字を上下の二区域に分ける区分け用枠を前記項目印字とともに前記ラベル片に印字可能である、携帯式ラベル印字貼付け機の印字器。
【請求項５】
帯状の台紙に複数枚のラベル片を仮着したラベル連続体の各ラベル片に印字を行って貼り付ける携帯式ラベル印字貼付け機の印字器による印字方法であって、
前記印字器として、上下二段に設けた第１の印字器および第２の印字器の少なくともいずれか一方に項目印字用バンドを、上下または左右の少なくともいずれかの方向に二列に設けておくとともに、
前記印字器の、前記項目印字用バンドが設けられていない位置にデータ印字用バンドを設けておき、
前記ラベル片の印字領域を、少なくとも上下または、左右の区域に分ける区分け用枠を前記ラベル片にあらかじめ印刷し、
前記第１の印字器および前記第２の印字器により、前記印字領域の前記区域に印字を行う、携帯式ラベル印字貼付け機の印字器による印字方法。
【発明の詳細な説明】
【技術分野】
【０００１】
本発明は携帯式ラベル印字貼付け機の印字器による印字方法および印字器にかかるもので、とくに少なくとも上下二段印字を行う携帯式ラベル印字貼付け機の印字器による印字方法および印字器に関するものである。
【背景技術】
【０００２】
従来から、ラベルによるとくに食品あるいはその食材に関して、製造年月日や消費期限ないし賞味期限、さらには冷凍や解凍、加熱その他の各種処理などの諸項目に関する項目印字、およびその具体的日時など管理用日付に関するデータ印字を行う際に、その項目印字ごとおよびデータ印字ごとに印字器を設けることは、印字器の数が増加および大型化することにつながる結果、携帯式ラベル印字貼付け機に装備する印字器としては、重量および大きさなど制約された範囲内で対応する必要がある。
とくに、少なくとも二種類の独立した項目印字についてそれぞれのデータ印字を一枚のラベルに印字することが要望されている。たとえば、二種類の項目印字およびそれぞれのデータ印字を印字するために、一般的には合計上下四段の印字器を装備する必要があり、携帯式ラベル印字貼付け機としては現実的ではないという問題がある。
【０００３】
たとえば図６は、ラベル片１への二段印字の典型的な一例を示す説明図であって、図６（１）は、ラベル片１の平面図、図６（２）は、ラベル片１へのたとえば左右四桁の印字を行うためのデータ印字用バンド２の見出し文字記号部分の展開図である。
図６（１）に示すように、ラベル片１には、上下二段の印字器（図示せず）による印字を行って、たとえば消費期限として、上段印字部３に印字した「１２月０１日」から下段印字部４に印字した「１２月０２日」を表示している。
【０００４】
図６（２）に示すように、それぞれのデータ印字用バンド２は、「１、２、・・・９、０」、および「ＡＭ」や「ＰＭ」その他必要な文字ないし記号を印字可能としている。ただし、データ印字用バンド２は、印字器を装備する携帯式ラベル印字貼付け機の大きさないし重量からの制約から、たとえば１３個の文字記号を表示可能としている。
【０００５】
しかしながら、図６に示したラベル片１への印字による表示では、当然のことながら、「消費期限」の表示を別途行うか、あらかじめこのような表示が消費期限を示しているとの事前の了解が必要である。
【０００６】
図７は、この「消費期限」を明示可能としたラベル片５の一例を示す説明図であって、図７（１）は、ラベル片５の平面図、図７（２）は、ラベル片５へのとくに「消費期限」など項目印字を行うための項目印字用バンド６の見出し文字記号部分の展開図である。
なお、項目印字用バンド６は、項目を表示するためにデータ印字用バンド２より幅広にこれを形成しているとともに、データ印字用バンド２と同様に、たとえば１３個の文字記号を表示可能としている。
【０００７】
図７（１）に示すように、ラベル片５は、上段印字部７、中段印字部８および下段印字部９を有し、上下三段の印字器（図示せず）により、中段印字部８に項目印字用バンド６による「消費期限」の表示を行うとともに、上述のデータ印字用バンド２（図６（２））によって上段印字部７に印字した「１２月０１日」から下段印字部９に印字した「１２月０２日」を表示している。
【０００８】
しかして、とくに食品表示に関しては、「消費期限」ないし「賞味期限」や「製造年月日」などの諸項目に関する項目印字の種類が増加する傾向にあり、この項目印字の数に応じてラベル片１やラベル片５に、上述のようにたとえば少なくとも二種類の独立した項目印字についてそれぞれのデータ印字を一枚のラベルに印字することが要望されている。
【先行技術文献】
【特許文献】
【０００９】
【特許文献１】特開２０１１−１５２８００号公報
【発明の概要】
【発明が解決しようとする課題】
【００１０】
本発明は以上のような諸問題にかんがみなされたもので、少なくとも上下二段にわたって項目印字およびこれに対応するデータ印字を行うことができる携帯式ラベル印字貼付け機の印字器による印字方法および印字器を提供することを課題とする。
【００１１】
また本発明は、制約がある段数内で、少なくとも二種類の独立した管理日付などのデータ印字およびその項目印字を印字可能な携帯式ラベル印字貼付け機の印字器による印字方法および印字器を提供することを課題とする。
【００１２】
また本発明は、大きさに制約があるラベル片に必要な情報を印字可能な携帯式ラベル印字貼付け機の印字器による印字方法および印字器を提供することを課題とする。
【課題を解決するための手段】
【００１３】
すなわち本発明は、印字器として、少なくとも上下二段に設けた第１の印字器及び第２印字器のいずれか一方に項目印字用バンドを設けることに着目したものである。本発明のある態様によれば、帯状の台紙に複数枚のラベル片を仮着したラベル連続体の各ラベル片に印字を行って貼り付ける携帯式ラベル印字貼付け機の印字器による印字方法であって、前記印字器として、少なくとも上下二段に設けた第１の印字器および第２の印字器のいずれか一方に項目印字用バンドを少なくとも二列に設けておくとともに、いずれか他方の前記印字器にデータ印字用バンドを設けておき、前記ラベル片の印字領域を上下左右の四区域に分ける区分け用枠を前記ラベル片にあらかじめ印刷し、前記第１の印字器および前記第２の印字器により、前記印字領域の前記四区域に印字を行う、携帯式ラベル印字貼付け機の印字器による印字方法が提供される。
【００１６】
本発明の他の態様によれば、帯状の台紙に複数枚のラベル片を仮着したラベル連続体の各ラベル片に印字を行って貼り付ける携帯式ラベル印字貼付け機の印字器であって、前記印字器として上下三段に設けた、第１の印字器、第２の印字器および第３の印字器の中央部に位置するこの第２の印字器に少なくとも二種類の項目印字に関する項目印字用バンドを設け、前記第２の印字器の上下に位置する前記第１の印字器および第３の印字器により前記項目印字に対応するデータ印字を行い、前記項目印字用バンドは、前記項目印字を上下の二区域に分ける区分け用枠を前記項目印字とともに前記ラベル片に印字可能である、携帯式ラベル印字貼付け機の印字器が提供される。
【００１７】
本発明のその他の態様によれば、帯状の台紙に複数枚のラベル片を仮着したラベル連続体の各ラベル片に印字を行って貼り付ける携帯式ラベル印字貼付け機の印字器による印字方法であって、前記印字器として、上下二段に設けた第１の印字器および第２の印字器の少なくともいずれか一方に項目印字用バンドを、上下または左右の少なくともいずれかの方向に二列に設けておくとともに、前記印字器の、前記項目印字用バンドが設けられていない位置にデータ印字用バンドを設けておき、前記ラベル片の印字領域を、少なくとも上下または、左右の区域に分ける区分け用枠を前記ラベル片にあらかじめ印刷し、前記第１の印字器および前記第２の印字器により、前記印字領域の前記区域に印字を行う、携帯式ラベル印字貼付け機の印字器による印字方法が提供される。
【発明の効果】
【００１８】
本発明による携帯式ラベル印字貼付け機の印字器による印字方法および印字器においては、印字器として、少なくとも上下二段に設けた第１の印字器および第２の印字器のいずれか一方に項目印字用バンドを設けるとともに、この項目印字用バンドによって二種類の項目印字を可能としたので、各種印字が必要な項目印字およびデータ印字に応じて、ラベル片１への印字を実行可能である。
【００１９】
とくに第一の発明の携帯式ラベル印字貼付け機の印字器による印字方法によれば、ラベル片の印字領域を上下左右の四区域に分ける区分け用枠をラベル片にあらかじめ印刷し、第１の印字器および第２の印字器により、印字領域の四区域に印字を行うようにしたので、項目印字およびデータ印字をそれぞれの区域を分けて印字することができるとともに、項目印字用バンドを少なくとも二列に設けたため、項目印字の増加に対処可能である。
【００２０】
とくに第二の発明の携帯式ラベル印字貼付け機の印字器によれば、印字器として上下三段に設けた、第１の印字器、第２の印字器および第３の印字器の中央部に位置する第２の印字器に少なくとも二種類の項目印字に関する項目印字用バンドを設け、第２の印字器の上下に位置する第１の印字器および第３の印字器により項目印字に対応するデータ印字を行うようにしたので、とくに項目印字の情報が増加してもこれに対応してその表示が可能である。
【図面の簡単な説明】
【００２１】
【図１】本発明（第一の発明）による携帯式ラベル印字貼付け機の印字器による印字方法を説明するための携帯式ラベル印字貼付け機１０の一部切欠き側面図である。
【図２】同、第１の印字器１６（第２の印字器１７）の一般的な構成を例示する、図１のＩＩ−ＩＩ線断面図である。
【図３】同、図２のＩＩＩ−ＩＩＩ線断面図である。
【図４】同、ラベル片２３に上下二段に印字する方法（第一の発明）の説明図であって、図４（１）は上下二段に印字を行う前のラベル片２３を示す平面図、図４（２）は、印字を行うための二列の項目印字用バンド６および四列のデータ印字用バンド２の見出し文字記号部分の展開図、図４（３）は、上下二段に印字を行った状態のラベル片２３の平面図である。
【図５】ラベル片２３に上下三段に印字する第二の発明の説明図であって、図５（１）は、上下三段に印字を行う前のラベル片２３を示す平面図、図５（２）は、印字を行うための項目印字用バンド５０の見出し文字記号部分の展開図、図５（３）は、上下三段に印字を行った状態のラベル片２３の平面図である。
【図６】従来のラベル片１への二段印字の典型的な一例を示す説明図であって、図６（１）は、ラベル片１の平面図、図６（２）は、ラベル片１へのたとえば左右四桁の印字を行うためのデータ印字用バンド２の見出し文字記号部分の展開図である。
【図７】同、「消費期限」を明示可能としたラベル片５の一例を示す説明図であって、図７（１）は、ラベル片５の平面図、図７（２）は、ラベル片５へのとくに「消費期限」など項目印字を行うための項目印字用バンド６の見出し文字記号部分の展開図である。
【発明を実施するための形態】
【００２２】
本発明は、印字器として、少なくとも上下二段に設けた第１の印字器および第２の印字器のいずれか一方に二種類の項目印字が可能な項目印字用バンドを設け、各種印字が必要な項目印字およびデータ印字に応じて、ラベル片への印字を実行可能な携帯式ラベル印字貼付け機の印字器による印字方法および印字器を実現した。
【実施例】
【００２３】
つぎに本発明（第一の発明）による携帯式ラベル印字貼付け機の印字器による印字方法および印字器を図１ないし図４にもとづき説明する。ただし、図６および図７と同様の部分には同一符号を付し、その詳述はこれを省略する。
図１は、携帯式ラベル印字貼付け機１０の一部切欠き側面図であって、携帯式ラベル印字貼付け機１０は、貼付け機本体１１と、貼付け機本体１１に形成したグリップ１２と、貼付け機本体１１に設けたレバー軸１３に回動可能に設けた操作レバー１４と、操作レバー１４の先端部に形成したヨーク１５に取り付けた上下二段の印字器（たとえば、上段印字用の第１の印字器１６、下段印字用の第２の印字器１７）と、インキローラー１８と、プラテン１９と、貼付けローラー２０と、を有し、貼付け機本体１１の上部にラベル連続体２１をロール状に保持して、内部に帯状に供給可能としている。
【００２４】
ラベル連続体２１は、帯状の台紙２２に複数枚のラベル片２３（ラベル片２（図６（１）およびラベル片５（図７（１）に相当）を仮着した構成を有している。
携帯式ラベル印字貼付け機１０のグリップ１２および操作レバー１４を握持することにより、第１の印字器１６および第２の印字器１７がプラテン１９方向に下降し、インキローラー１８がインキを塗布して、プラテン１９上のラベル連続体２１のラベル片２３に押圧印字する。
グリップ１２および操作レバー１４の握持開放により貼付け機本体１１内の移送機構（図示せず）により、プラテン１９の転向稜２４において台紙２２のみを後方に転向させ、台紙２２からラベル片２３を剥離して、貼付けローラー２０により所定の商品ないし物品（図示せず）に貼り付ける。
【００２５】
図２は、第１の印字器１６および第２の印字器１７の一般的な構成を例示する、図１のＩＩ−ＩＩ線断面図、図３は、図２のＩＩＩ−ＩＩＩ線断面図である。ただし、第１の印字器１６および第２の印字器１７はいずれも同様の構成を採用可能であるため、第１の印字器１６の構成として以下説明する。
第１の印字器１６は、印字器本体２５と、見出しホィール２６および選択軸部材２７の間に掛け渡したエンドレスの印字バンド２８と、を有し、インジケーター２９の矢印指示端３０を見出し窓３１内で見ながら選択軸３２の選択つまみ３３を操作することにより、印字バンド２８の任意の文字記号を選択可能としている。
すなわち、選択軸３２に取り付けた選択ピン３４がそれぞれの見出しホィール２６の内周方向に形成した内周凹部３５に係合しており、見出しホィール２６を介して印字バンド２８を回動することにより、その見出し文字記号３６を見ながらそれぞれの印字文字記号３７を選択可能である。
なお、スプリング３８により付勢したスチールボール３９が、選択軸３２に形成した選択溝４０に係脱して、選択軸３２の移動操作による列方向の印字バンド２８の選択を可能とする。
【００２６】
とくに図３に示すように、見出しホィール２６は、弾性支持体４１により、見出し文字記号３６および印字文字記号３７ごとの回動角度でこれを回転および停止可能に支持する。
【００２７】
選択軸部材２７は、スプリング４２により付勢した押さえ部材４３によりこれを回転および停止可能に支持している。
【００２８】
ただし、本発明においては、印字バンド２８を各種項目印字およびデータ印字の種類および大きさなどに合わせて、適宜その選択軸３２の軸方向における幅および数（列数）、さらには印字するための印字文字記号３７を変えている。
すなわち、図２は、その一例を示しており、図２中、右側の四列は、前記データ印字用バンド２（図６（２））と同様の印字バンド２８であり、左側の一列は、前記項目印字用バンド６（図７（２））と同様の印字バンド２８である。
これらのデータ印字用バンド２および項目印字用バンド６などに代表される印字バンド２８は、ラベル連続体２１のラベル片２３に印字される各種項目印字およびデータ印字の種類および大きさなどに合わせて、データ印字用バンド２および項目印字用バンド６の組み合わせを選択可能である。
【００２９】
たとえば、図４は、ラベル片２３に上下二段に印字する方法の説明図であって、図４（１）は上下二段に印字を行う前のラベル片２３を示す平面図、図４（２）は、印字を行うための二列の項目印字用バンド６および四列のデータ印字用バンド２の見出し文字記号部分の展開図、図４（３）は、上下二段に印字を行った状態のラベル片２３の平面図である。
【００３０】
少なくとも上下二段に設けた第１の印字器１６および第２の印字器１７のいずれか一方（たとえば第１の印字器１６）に、図４（２）に示すように、項目印字用バンド６を少なくとも二列に設けておくとともに、いずれか他方の印字器（たとえば第２の印字器１７）にデータ印字用バンド２を設けておく。
【００３１】
また図４（１）に示すように、ラベル片２３の印字領域を上下左右の四区域に分ける区分け用枠４４（図中、たとえば十字形に描いている）をラベル片２３にあらかじめ印刷し、第１の印字器１６および第２の印字器１７により、印字領域の四区域に印字を行う。
【００３２】
ただし図４（３）に示すように、ラベル片２３における上下左右の四区域の上段印字部４５および下段印字部４６のいずれか一方の段印字部（上段印字部４５）における左区域４５Ａおよび右区域４５Ｂに項目印字用バンド６による二列に項目印字（たとえば、「製造」、「消費期限」）を行う。
さらに、四区域の上段印字部４５および下段印字部４６のいずれか他方の段印字部（下段印字部４６）における左区域４６Ａおよび右区域４６Ｂに、項目印字に対応するデータ印字（たとえば「製造」が「１５日」であり、「消費期限」が「１６日」であるとの表示）をデータ印字用バンド２により印字を行う。
【００３３】
なお、図４（１）および図４（３）に示すように、項目印字およびデータ印字の少なくともいずれか一方に関連する表示データ（たとえば、当該商品の売出し日が「金曜日」であること）を区分け用枠４４にあらかじめ印刷しておくことにより、表示する情報量を増やすことができる。
さらに、区分け用枠４４には、上記表示データとしてあらかじめ各種の色を着色したり、任意のデザインをあらかじめ印刷しておき、この着色やデザインによりラベル片２３自体を識別可能とし、同じく、表示する情報量を増やすことができる。
【００３４】
かくして、ラベル片２３には、あらかじめ印刷した区分け用枠４４により上段印字部４５および下段印字部４６の区域（左区域４５Ａ、右区域４５Ｂ、左区域４６Ａ、右区域４６Ｂ）を明確に区分けして、それぞれの区域に必要な項目印字およびデータ印字を行うことができる。
さらに、項目印字用バンド６を少なくとも二列に設けているので、項目印字の情報量の増加にも対処可能である。
【００３５】
図５は、ラベル片２３に上下三段に印字する第二の発明の説明図であって、図５（１）は、上下三段に印字を行う前のラベル片２３を示す平面図、図５（２）は、印字を行うための項目印字用バンド５０の見出し文字記号部分の展開図、図５（３）は、上下三段に印字を行った状態のラベル片２３の平面図である。
【００３６】
当該第二の発明においては、上段印字部５１に印字するための第１の印字器、中段印字部５２に印字するための第２の印字器、および、下段印字部５３に印字するための第３の印字器を設けている。
これらの第１の印字器、第２の印字器および第３の印字器は、既述した第１の印字器１６（第２の印字器１７）における前記項目印字用バンド６と同様の上記項目印字用バンド５０、および前記データ印字用バンド２を適宜採用する。
【００３７】
すなわち、中央部に位置する第２の印字器に少なくとも二種類の項目印字に関する項目印字用バンド５０を設け、第２の印字器の上下に位置する第１の印字器および第３の印字器にデータ印字用バンド２を設けて、項目印字に対応するデータ印字を行う。
【００３８】
ただし、項目印字用バンド５０は、項目印字を上下の二区域（上段印字部５１、下段印字部５３）に分ける区分け用枠５４を項目印字（たとえば「製造」、「消費期限」）とともにラベル片２３に印字可能である。
【００３９】
具体的には、とくに図５（２）に示すように、項目印字用バンド５０における区分け用枠５４は、中段印字部５２の左区域５２Ａに項目印字（たとえば「製造」）とともに印字可能であって左区域５２Ａの下方に位置する下方線５４Ａと、右区域５２Ｂに項目印字（たとえば「消費期限」）とともに印字可能であって右区域５２Ｂの上方に位置する上方線５４Ｂと、これら下方線５４Ａおよび上方線５４Ｂを連結する傾斜線５４Ｃと、を有する。
【００４０】
かくして、図５（３）に示すように、たとえば二種類の項目印字が可能な項目印字用バンド５０を適宜選択して項目印字すなわち、「製造」および「消費期限」さらには区分け用枠印字５４Ｄを中段印字部５２に行うとともに、印字したそれぞれの項目印字に応じたデータ印字すなわち、「１２０１」および「ＡＭ１０」、ならびに「１２０１」および「ＰＭ１０」をそれぞれ上段印字部５１ならびに下段印字部５３に行うことができる。
したがって、項目印字用バンド５０における項目印字の内容を適宜選択組み合わせておくことにより、項目印字の情報量が増加しても、これに対応して必要な印字を的確に実行可能である。
携帯式ラベル印字貼付け機の印字器による印字方法では、ラベル片の上下左右に分けられた四区域の上段印字部および下段印字部のいずれか一方の段印字部における左区域および右区域に項目印字用バンドによる項目印字を行うとともに、四区域の上段印字部および下段印字部のいずれか他方の段印字部における左区域および右区域に、項目印字に対応するデータ印字をデータ印字用バンドにより行うことができる。
項目印字およびデータ印字の少なくともいずれか一方に関連する表示データを区分け用枠にあらかじめ印刷しておくことができる。
【符号の説明】
【００４１】
１  ラベル片（従来、図６（１））
２  データ印字用バンド
３  上段印字部
４  下段印字部
５  ラベル片（従来、図７（１））
６  項目印字用バンド
７  上段印字部
８  中段印字部
９  下段印字部
１０  携帯式ラベル印字貼付け機（図１）
１１  貼付け機本体
１２  グリップ
１３  レバー軸
１４  操作レバー
１５  ヨーク
１６  第１の印字器（印字器）
１７  第２の印字器（印字器）
１８  インキローラー
１９  プラテン
２０  貼付けローラー
２１  ラベル連続体
２２  台紙
２３  ラベル片（図４（１）、図５（１））
２４  転向稜
２５  印字器本体
２６  見出しホィール
２７  選択軸部材
２８  印字バンド（印字用バンド２、項目印字用バンド６、５０）
２９  インジケーター
３０  矢印指示端
３１  見出し窓
３２  選択軸
３３  選択つまみ
３４  選択ピン
３５  内周凹部
３６  見出し文字記号
３７  印字文字記号
３８  スプリング
３９  スチールボール
４０  選択溝
４１  弾性支持体
４２  スプリング
４３  押さえ部材
４４  区分け用枠（図４（１））
４５  上段印字部
４５Ａ  上段印字部４５の左区域
４５Ｂ  上段印字部４５の右区域
４６  下段印字部
４６Ａ  下段印字部４６の左区域
４６Ｂ  下段印字部４６の右区域
５０  項目印字用バンド（図５（２））
５１  上段印字部（図５（１））
５２  中段印字部
５２Ａ  中段印字部５２の左区域
５２Ｂ  中段印字部５２の右区域
５３  下段印字部
５４  区分け用枠（図５（２））
５４Ａ  区分け用枠５４の下方線
５４Ｂ  区分け用枠５４の上方線
５４Ｃ  区分け用枠５４の傾斜線
５４Ｄ  区分け用枠印字（図５（３））
【図１】
0006449660.tif 000002
【図２】
0006449660.tif 000003
【図３】
0006449660.tif 000004
【図４】
0006449660.tif 000005
【図５】
0006449660.tif 000006
【図６】
0006449660.tif 000007
【図７】
0006449660.tif 000008